(57)【要約】【課題】発熱体が腐蝕するのを防止することにより耐久性を高める。【解決手段】内部に密閉された空所３を有するケーシング２と、空所３内に設けられる発熱体４とからなる電源装置１において、空所３内に外気を流通可能な外気通路５を空所３と隔離された状態で設け、外気通路５と発熱体４との間に熱交換手段８を設け、外気通路５の開口部近傍に冷却ファン１３を設ける。冷却ファン１３を駆動させることにより、外気通路５内に外気が流入し、外気通路５内を流れて熱交換手段８に達し、熱交換手段８により外気と発熱体４との間で熱交換が行われて発熱体４が冷却される。外気は発熱体４との熱交換の後に外気通路５外に流出する。外気が空気内の発熱体４と接触することはないので、発熱体４が腐蝕するようなことはなく、耐久性を高めることができる。【選択図】        図５
2004274870.tif 000002
【特許請求の範囲】
【請求項１】
内部に密閉された空所を有するケーシングと、前記空所内に設けられる発熱体とからなる電源装置において、前記空所内に外気を流通可能な外気通路を前記空所と隔離された状態で設け、該外気通路内を流通する外気と前記発熱体との間で熱交換可能としたことを特徴とする電源装置。
【請求項２】
請求項１に記載の電源装置であって、前記外気通路と前記発熱体との間に熱交換手段を設け、該熱交換手段によって前記外気通路内を流通する外気と前記発熱体との間で熱交換を行うように構成したことを特徴とする電源装置。
【請求項３】
請求項１又は２に記載の電源装置であって、前記外気通路は、上端及び下端にそれぞれ少なくとも一つの開口部を有していることを特徴とする電源装置。
【請求項４】
請求項１から３の何れかに記載の電源装置であって、前記外気通路は、外気の流れが途中で分岐又は合流するものであることを特徴とする電源装置。
【請求項５】
請求項１から４の何れかに記載の電源装置であって、前記外気通路は、外気の流れ方向が途中で少なくとも１回変わるものであることを特徴とする電源装置。
【請求項６】
請求項１から５の何れかに記載の電源装置であって、前記外気通路内に少なくとも一つの冷却ファンを設けたことを特徴とする電源装置。
【請求項７】
請求項１から６の何れかに記載の電源装置であって、前記外気通路の少なくとも一つの開口部に防塵部材を設けたことを特徴とする電源装置。
【請求項８】
請求項１から７の何れかに記載の電源装置であって、前記ケーシングの外側の部分に、ケーシングの少なくとも一部を遮蔽する遮蔽部材を設けたことを特徴とする電源装置。
【請求項９】
請求項１から８の何れかに記載の電源装置であって、前記空所内に冷却ファンを設けたことを特徴とする電源装置。
【請求項１０】
請求項１から９の何れかに記載の電源装置を複数直列に接続し、隣接する電源装置の外気通路同士を互いに接続したことを特徴とする電源装置。
【請求項１１】
請求項１から９の何れかに記載の電源装置を複数並列に接続したことを特徴とする電源装置。
【発明の詳細な説明】
【０００１】
【発明の属する技術分野】
本発明は、電源装置に関し、特に、発熱体であるインバータ装置等の実装部品を冷却する機能を備えた電源装置に関するものである。
【０００２】
【従来の技術】
この種の電源装置の一例として、図１４に示すように、ケーシング７１の上部の冷却ファン７３の駆動により、ケーシング７１の下部の開口部７４からケーシング７１内に外気を導き、この外気をケーシング７１内を流通させてケーシング７１の上部の開口部７５から外部に流出させることにより、ケーシング７１内のインバータ装置等の発熱体７６を冷却するように構成した電源装置７０が知られている。
【０００３】
また、電源装置の他の例として、図１５に示すように、ケーシング８１内を外気と遮断し、熱交換器８２によりケーシング８１内のインバータ装置等の発熱体８４と外気との間で熱交換を行うことにより、発熱体８４を冷却するように構成した電源装置８０が知られている。
【０００４】
さらに、電源装置の他の例として、図示はしないが、ケーシング内に設けた冷却ファンの駆動により、ケーシング内に外気を導き、低温使用品及び電力用半導体装置を冷却した後に、ケーシング外に排出させるように構成したもの知られている（例えば、特許文献１参照。）。
【０００５】
【特許文献１】
特開平７−９５７７１号公報
【０００６】
【発明が解決しようとする課題】
ところで、上記のような従来の電源装置のうち、図１４及び特許文献１に記載されている電源装置７０は、外気がインバータ装置等の発熱体７６に直接接触するために、外気に含まれる水分や有害物質によって発熱体７６が腐蝕する問題が生じる。このため、外気の流入口７４に設けられているフィルタ等のメンテナンスを頻繁に行う必要があり、メンテナンスに非常に手間がかかってしまう。
【０００７】
また、図１５に記載されている電源装置８０は、発熱体８４に外気が直接接触することはないので、発熱体８４の腐蝕の問題は生じない。しかし、熱交換器８２の価格が高くつくため、装置全体としての価格が高くなってしまう。また、全体が大型化し、重量も嵩むために、ごみ焼却設備の電気集塵機等のように、高所に設置する場合に非常に手間がかかり、メンテナンスにも手間がかかる。さらに、水冷式の場合には、冷却水の供給設備が必要となるため、そのメンテナンスにも手間がかかる。
【０００８】
本発明は、上記のような従来の問題に鑑みなされたものであって、インバータ装置等の発熱体が腐蝕することがなく、耐久性に優れるとともに、全体を小型化、軽量化、低価格化することができて、特に、ごみ焼却設備の電気集塵機等のように、高所に設置されて使用されるものに有効な電源装置を提供することを目的とするものである。
【０００９】
【課題を解決するための手段】
本発明は、上記のような課題を解決するために、以下のような手段を採用している。すなわち、請求項１に係る発明は、内部に密閉された空所を有するケーシングと、前記空所内に設けられる発熱体とからなる電源装置において、前記空所内に外気を流通可能な外気通路を前記空所と隔離された状態で設け、該外気通路内を流通する外気と前記発熱体との間で熱交換可能としたことを特徴とする。
この発明による電源装置によれば、ケーシング内の空所と隔離された外気通路内を外気が流通することにより、外気と空所内の発熱体との間で熱交換が行われ、発熱体が冷却されることになる。
【００１０】
請求項２に係る発明は、請求項１に記載の電源装置であって、前記外気通路と前記発熱体との間に熱交換手段を設け、該熱交換手段によって前記外気通路内を流通する外気と前記発熱体との間で熱交換を行うように構成したことを特徴とする。
この発明による電源装置によれば、外気通路内を外気が流通することにより、熱交換手段を介して外気と発熱体との間で熱交換が行われ、発熱体が冷却されることになる。
【００１１】
請求項３に係る発明は、請求項１又は２に記載の電源装置であって、前記外気通路は、上端及び下端にそれぞれ少なくとも一つの開口部を有していることを特徴とする。
この発明による電源装置によれば、外気通路の上端開口部又は下端開口部から外気が外気通路内に導かれ、外気通路内を流れて下端開口部又は上端開口部から外部に流出することになる。
【００１２】
請求項４に係る発明は、請求項１から３の何れかに記載の電源装置であって、前記外気通路は、外気の流れが途中で分岐又は合流するものであることを特徴とする。
この発明による電源装置によれば、外気通路内に導かれた外気は、外気通通路の途中で分岐され、又は合流されて外気通路内を流通することになる。
【００１３】
請求項５に係る発明は、請求項１から４の何れかに記載の電源装置であって、前記外気通路は、外気の流れ方向が途中で少なくとも１回変わるものであることを特徴とする。
この発明による電源装置によれば、外気通路内に導かれた外気は、外気通路内で少なくとも１回流れ方向が変えられて外気通路内を流通することになる。
【００１４】
請求項６に係る発明は、請求項１から５の何れかに記載の電源装置であって、前記外気通路内に少なくとも一つの冷却ファンを設けたことを特徴とする。
この発明による電源装置によれば、冷却ファンの駆動により、外気が外気通路内を強制的に流通することになる。
【００１５】
請求項７に係る発明は、請求項１から６の何れかに記載の電源装置であって、前記外気通路の少なくとも一つの開口部に防塵部材を設けたことを特徴とする。
この発明による電源装置によれば、外気は、防塵部材によって塵等が取り除かれた後に、外気通路内に流入することになる。
【００１６】
請求項８に係る発明は、請求項１から７の何れかに記載の電源装置であって、前記ケーシングの外側の部分に、ケーシングの少なくとも一部を遮蔽する遮蔽部材を設けたことを特徴とする。
この発明による電源装置によれば、風、雨、雪等は遮蔽部材によって遮られ、ケーシングに作用するのが阻止される。
【００１７】
請求項９に係る発明は、請求項１から８の何れかに記載の電源装置であって、前記空所内に冷却ファンを設けたことを特徴とする。
この発明による電源装置によれば、空所内の内気が冷却ファンの駆動により攪拌されることになる。
【００１８】
請求項１０に係る発明は、請求項１から９の何れかに記載の電源装置を複数直列に接続し、隣接する電源装置の外気通路同士を互いに接続したことを特徴とする。
この発明による電源装置によれば、外気通路のケーシングの空所との接触面積を大きくすることができるので、冷却効率を高めることができる。
【００１９】
請求項１１に係る発明は、請求項１から９の何れかに記載の電源装置を複数並列に接続したことを特徴とする。
この発明による電源装置によれば、外気通路のケーシングの空所との接触面積を大きくすることができるので、冷却効率を高めることができる。
【００２０】
【発明の実施の形態】
以下、図面に示す本発明の実施の形態について説明する。
図１には、本発明による電源装置の第１の実施の形態が示されていて、この電源装置１は、ケーシング２と、ケーシング２内に設けられる発熱体４と、ケーシング２内に設けられる外気通路５と、外気通路５と発熱体４との間に設けられる熱交換手段８とを備えている。
【００２１】
ケーシング２は、内部に密閉された空所３を有する箱体状をなすものであって、この空所３内にインバータ装置等の発熱体４が設けられるようになっている。
【００２２】
外気通路５は、外気１７（ケーシング２の外側に位置する空気、以下、外気１７という。）を流通させるものであって、ケーシング２内を上下方向（垂直方向）に貫通するように、ケーシング２の空所３内に設けられるようになっている。外気通路５は、ケーシング２の空所３内と隔離された状態で下端がケーシング２の底面側に開口し、上端がケーシング２の上面側に開口するようになっている。従って、外気通路５の下端開口部６から外気通路５内に流入した外気１７は、空所３内の内気１８（空所３内に位置する空気、以下、内気１８という。）と接触することなく、外気通路５内を下から上に向かって流れ、外気通路５の上端開口部７から外部に流出することになる。この実施の形態においては、角筒状の部材により外気通路５を形成しているが、円筒状、楕円筒状、三角筒状等の部材により外気通路５を形成しても良い。
【００２３】
外気通路５の下端開口部６には、防塵部材１４が設けられ、この防塵部材１４により外気通路５内に塵、小動物等が侵入するのを防止している。防塵部材１４としては、よろい戸、網、フィルタ等が挙げられる。
【００２４】
外気通路５内の途中には、熱交換手段８である冷却フィン９が設けられ、この熱交換手段８により、外気通路５内を流通する外気１７と空所３内の発熱体４との間で熱交換が行われ、発熱体４が外気１７と接触することになく冷却されるようになっている。この場合、熱交換手段８と発熱体４との間に位置する外気通路５の壁部の部分は、必要に応じて防水、防塵、防蝕処理が施されている。
【００２５】
熱交換手段８としては、冷却フィン９の他に、図２に示すようなヒートパイプ１０、図３に示すようなラジエータ１２が挙げられるが、これらに限定することなく、同様の機能を有するものであれば良い。
【００２６】
ケーシング２の上方には、ケーシング２と所定の間隔をおいて遮蔽部材１５が設けられ、この遮蔽部材１５により外気通路５の上端開口部が遮蔽されて、雨、雪、風、塵等が外気通路５内に侵入するのを防止している。
【００２７】
そして、上記のように構成したこの実施の形態による電源装置１を、図４に示すように、例えば、ごみ焼却設備の電気集塵機１６の上部に架台（図示せず）を介して設置し、ケーシング２の底面側に所定の空隙を形成することにより、外気１７がケーシング２の底面側の下端開口部６から外気通路５内に流入し、外気通路５内を下から上に向かって流れて熱交換手段８に達し、熱交換手段８において空所３内の発熱体４との間で熱交換を行って発熱体４を冷却する。そして、熱交換手段８を通過して上方に流れ、ケーシング２の上面側の上端開口部７から外部に流出することになる。
【００２８】
上記のように構成したこの実施の形態による電源装置１にあっては、外気１７を、ケーシング２の空所３内と完全に隔離した外気通路５内を流通させているので、空所３内のインバータ装置等の発熱体４に外気１７が直接に接触するようなことはない。従って、外気１７に含まれる水分が発熱体４に接触して発熱体４を腐蝕させるようなことはなく、耐久性を大幅に高めることができることになる。また、発熱体４が腐蝕することがないので、メンテナンスを頻繁に行う必要がなく、メンテナンスフリーに近い状態での運転が可能となる。
【００２９】
さらに、熱交換手段８として、小型で、軽量で、安価な冷却フィン９、ヒートパイプ１０、ラジエータ１２等を用いることができるので、装置全体を小型化、軽量化することができるとともに、安価にすることができることになる。従って、ごみ焼却設備の電気集塵機１６のように、高所に設置されて使用される場合に有効に利用することができるとともに、設備費、運転費用を安く抑えることができる。
【００３０】
図５には、本発明による電源装置の第２の実施の形態が示されていて、この電源装置１は、外気通路５内の下端開口部６近傍及び上端開口部７近傍にそれぞれ冷却ファン１３、１３を設け、これらの冷却ファン１３、１３によって外気通路５内に外気１７を強制的に導くように構成したものであって、その他の構成は前記第１の実施の形態に示すものと同様である。
【００３１】
そして、この実施の形態に示す電源装置にあっても、前記第１の実施の形態に示すものと同様の作用効果を奏する他に、外気通路５内の上端開口部７近傍及び下端開口部６近傍にそれぞれ冷却ファン１３、１３を設けて、強制的に外気通路５内に外気１７を導いているので、外気通路５内を流通する外気１７の風量を増大させることができ、外気１７による発熱体４の冷却効率を高めることができることになる。
【００３２】
なお、冷却ファン１３は、外気通路５内の下端側開口部６の近傍又は上端側開口部７の近傍の何れか一方に設けるようにしても良いものである。
【００３３】
図６には、本発明による電源装置の第３の実施の形態が示されていて、この電源装置１は、外気通路５の下端を水平方向に分岐させて、外気通路５全体で断面逆Ｔ形状をなすように形成し、外気通路５の下端開口部６をケーシング２の両側面にそれぞれ設けたものであって、その他の構成は前記第１の実施の形態に示すものと同様である。
【００３４】
すなわち、この実施の形態においては、外気１７は、ケーシング２の両側面に設けた下端開口部６、６からそれぞれ外気通路５内に導かれ、外気通路５内を水平方向に流れてケーシング２の中央部で合流し、水平方向から垂直方向に流れが変えられて下から上に向かって流れて熱交換手段８に達し、熱交換手段８を通過して上端開口部７から外部に流出するものである。
【００３５】
そして、この実施の形態に示す電源装置１にあっても、前記第１の実施の形態に示すものと同様の作用効果を奏する他に、外気通路５の下端開口部６をケーシング２の両側面に設けているので、ケーシング２を地面に設置する場合等のように、ケーシング２の底面側に外気１７を導く空隙を形成することができないような箇所に有効に利用することができるものである。
【００３６】
また、外気通路５を断面Ｔ形状に形成しているので、外気通路５のケーシング２内の空所３との接触面積を大きくとることができるので、外気１７による発熱体４の冷却効率を高めることができることになる。
【００３７】
なお、この実施の形態においても、前記第２の実施の形態に示すものと同様に、外気通路５内の下端開口部６の近傍及び上端開口部７の近傍の少なくとも何れか１箇所に冷却ファンを設けることにより、外気通路５内を流通する外気１７の風量を増大させて冷却効率を高めても良い。
【００３８】
図７には、本発明による本発明による電源装置の第４の実施の形態が示されていて、この電源装置１は、外気通路５を全体で断面コ形状をなすように形成して、下端開口部６及び上端開口部７をケーシング２の一側面に開口させたものであって、その他の構成は前記第１の実施の形態に示すものと同様である。
【００３９】
すなわち、この実施の形態においては、外気１７は、水平方向から上端開口部６を介して外気通路５内に導かれ、外気通路５内を水平方向に流れてケーシング２の中央部で水平方向から垂直方向に流れが変えられ、垂直方向下方に向かって流れて熱交換手段８に達し、熱交換手段８を通過してケーシング２の下端部で垂直方向から水平方向に流れが変えられ、水平方向に流れて下端開口部６から外部に流出するものである。
【００４０】
そして、この実施の形態に示す電源装置１にあっても、前記第１の実施の形態に示すものと同様の作用効果を奏する他に、外気通路５の上端開口部７及び下端開口部６をケーシング２の一側面に設けているので、前記第３の実施の形態に示すものと同様に、ケーシング２を地面に設置する場合等のように、ケーシング２の底面側に外気１７を導く空隙を形成することができないような箇所に有効に利用することができるものである。
【００４１】
また、外気通路５を断面コ形状に形成しているので、外気通路５のケーシング２内の空所３との接触面積を大きくとることができるので、外気１７による発熱体４の冷却効率を高めることができることになる。
【００４２】
なお、この実施の形態においても、前記第２の実施の形態に示すものと同様に、外気通路５内の下端開口部６の近傍及び上端開口部７の近傍の少なくとも何れか１箇所に冷却ファンを設けることにより、外気通路５内を流通する外気１７の風量を増大させて冷却効率を高めても良い。
【００４３】
図８には、本発明による電源装置の第５の実施の形態が示されていて、この電源装置１は、外気通路５を全体で断面Ｚ形状をなすように形成し、外気通路５の下端開口部６をケーシング２の一方の側面に設け、上端開口部７をケーシング２の他方の側面に設けたものであって、その他の構成は前記第１の実施の形態に示すものと同様である。
【００４４】
すなわち、この実施の形態においては、外気１７は、水平方向から上端開口部７を介して外気通路５内に流入し、外気通路５内を水平方向に流れてケーシング２の中央部で水平方向から垂直方向斜め下方に流れが変えられ、垂直方向斜め下方に流れて熱交換手段８に達し、熱交換手段８を通過してケーシング２の下端部に達し、垂直方向斜め下方から水平方向に流れが変えられ、水平方向に流れて下端開口部６から外部に流出するものである。
【００４５】
そして、この実施の形態に示す電源装置１にあっても、前記第１の実施の形態に示すものと同様の作用効果を奏する他に、外気通路５の上端開口部７をケーシング２の一側面、下端開口部６をケーシング２の他側面に設けているので、前記第３の実施の形態に示すものと同様に、ケーシング２を地面に設置する場合等のように、ケーシング２の底面側に外気１７を導く空隙を形成することができないような箇所に有効に利用することができるものである。
【００４６】
また、外気通路５を断面Ｚ形状に形成しているので、外気通路５のケーシング２内の空所３との接触面積を大きくとることができるので、外気１７による発熱体４の冷却効率を高めることができることになる。
【００４７】
なお、この実施の形態においても、前記第２の実施の形態に示すものと同様に、外気通路５内の下端開口部６の近傍及び上端開口部７の近傍の少なくとも何れか１箇所に冷却ファンを設けることにより、外気通路５内を流通する外気１７の風量を増大させて冷却効率を高めても良い。
【００４８】
図９には、本発明による電源装置の電源装置の第６の実施の形態が示されていて、この電源装置２０は、前記第１の実施の形態に示す電源装置１と同一構成の２つの電源装置１、１を上下方向に直列に接続し、上側の電源装置１の外気通路５の下端開口部６と下側の電源装置１の上端開口部７を互いに接続したものであって、その他の構成は前記第１の実施の形態に示すものと同様である。
【００４９】
そして、この実施の形態に示すものにあっては、第１の実施の形態に示すものと同様の構成の２つの電源装置１、１を直列に接続しているので、負荷に応じて容量を増大させるような場合であっても、第１の実施の形態に示すものと同様の作用効果を奏するものである。
【００５０】
なお、この実施の形態においても、前記第２の実施の形態に示すものと同様に、外気通路５内の下端開口部６の近傍及び上端開口部７の近傍の少なくとも何れか１箇所に冷却ファンを設けることにより、外気通路５内を流通する外気１７の風量を増大させて冷却効率を高めても良い。また、この実施の形態においては、２つの電源装置１、１を直列に接続したが、図示はしないが、３つ以上の電源装置を直列に接続するようにしても良い。
【００５１】
図１０には、本発明による電源装置の電源装置の第７の実施の形態が示されていて、この電源装置３０は、前記第１の実施の形態に示す電源装置１と同一構成の２つの電源装置１、１を水平方向に並列に接続したものであって、その他の構成は前記第１の実施の形態に示すものと同様である。
【００５２】
そして、この実施の形態に示すものにあっては、第１の実施の形態に示すものと同様の構成の２つの電源装置１、１を並列に接続しているので、負荷に応じて容量を増大させるような場合であっても、第１の実施の形態に示すものと同様の作用効果を奏するものである。
【００５３】
なお、この実施の形態においても、前記第２の実施の形態に示すものと同様に、外気通路５内の下端開口部６の近傍及び上端開口部７の近傍の少なくとも何れか１箇所に冷却ファンを設けることにより、外気通路５内を流通する外気１７の風量を増大させて冷却効率を高めても良い。また、この実施の形態においては、２つの電源装置１、１を並列に接続したが、図示はしないが、３つ以上の電源装置を並列に接続するようにしても良い。
【００５４】
図１１には、本発明による電源装置の第８の実施の形態が示されていて、この電源装置４０は、内部に密閉された空所４２を有する外側のケーシング４１の空所４２内に、前記第４の実施の形態に示すものと同様の構成の電源装置１を設け、外気通路５の上端開口部７を外側のケーシング４１の一方の側面に設け、下端開口部６を外側のケーシング４１の一方の側面に設けたものであって、その他の構成は前記第４の実施の形態に示すものと同様である。
【００５５】
そして、この実施の形態に示すものにあっても、前記第４の実施の形態に示すものと同様の作用効果を奏する他に、外側のケーシング４１内に電源装置１を収納しているので、外側のケーシング４１内の内気１８を攪拌又は換気する冷却ファン（図示せず）を設けることにより、内側のケーシング２の表面からの放熱効率を高めることができることになる。
【００５６】
図１２には、本発明による電源装置の第９の実施の形態が示されていて、この電源装置５０は、外気通路５の下端開口部６及び上端開口部７にそれぞれ冷却ファン１３、１３を設けて、外気通路５内に強制的に外気を導くことにより、外気１７の風量を増大させて冷却効率を高め、更に、内側のケーシング２の下端部及び上端部にそれぞれ開口部２ａ、２ｂを設けるとともに、上端部の開口部２ａに冷却ファン１３を設けることにより、冷却ファン１３の駆動により内側のケーシング２内と外側のケーシング５１内との間で内気１８を循環させて内気の温度差を均等化して、外気通路５及び各ケーシング２、５１表面からの放熱効率を高め、更に、外側のケーシング５１の一方の側面に対向させて遮蔽部材１５を設けて日射の影響を避け、更に、外側のケーシング５１の上面に対向させて遮蔽部材１５を設けて、風、雪、雨等による影響を避け、特に、強風によるファン１３の回転力を弱めないようにしたものであって、その他の構成は前記第８の実施の形態に示すものと同様である。
【００５７】
そして、この実施の形態に示すものにあっても、前記第８の実施の形態に示すものと同様の作用効果を奏する他に、冷却ファン１３によって内側のケーシング２と外側のケーシング５１との間で内気１８を循環させているので、外気通路５の表面、内側のケーシング２の表面、外側のケーシング５１の表面からの放熱効率を高めることができる。
【００５８】
さらに、この実施の形態においては、発熱体４を熱交換手段８に密着させて設けているので、冷却効率を高めることができるものである。
【００５９】
図１３には、本発明による電源装置の第１０の実施の形態が示されていて、この電源装置６０は、前記第１の実施の形態に示す電源装置１と同一構成のものを外側のケーシング６１内の密閉された空所６２内に設け、外気通路５の上端開口部７を外側のケーシング６１の上面側に設け、下端開口部６を外側のケーシング６１の底面側に設け、内側のケーシング２の一方の側面の上端部及び他方の側面の下端部にそれぞれ内側のケーシング２内外を貫通する開口部２ｃ、２ｄを設け、上側の開口部２ｃに冷却ファン１３を設け、この冷却ファン１３の駆動により、内側のケーシング２と外側のケーシング６１との間で内気１８を循環させるように構成したものであって、その他の構成は前記第１の実施の形態に示すものと同様である。
【００６０】
そして、この実施の形態に示すものにあっても、前記第１の実施の形態に示すものと同様の作用効果を奏する他に、冷却ファン１３によって内側のケーシング２と外側のケーシング６１との間で内気を循環させているので、外気通路５の表面、内側のケーシング２の表面、外側のケーシング６１の表面からの放熱効率を高めることができる。
【００６１】
さらに、発熱体４を熱交換手段８に密着させて設けているので、冷却効率を高めることができるものである。
【００６２】
【発明の効果】
以上、説明したように、本発明の請求項１に記載の電源装置によれば、ケーシング内の空所と隔離された外気通路内を流通する外気と空所内の発熱体との間で熱交換を行うことにより、発熱体を冷却するように構成したので、発熱体に外気中に含まれる水分等が触れて発熱体が腐蝕するようなことはなく、耐久性を大幅に高めることができることになる。また、発熱体が腐蝕することがないので、メンテナンスを頻繁に行う必要はなく、メンテナンスフリーに近い状態での運転が可能となる。
【００６３】
また、請求項２に記載の電源装置によれば、外気通路と発熱体の間に熱交換手段を設け、この熱交換手段により外気通路内を流通する外気と発熱体との間で熱交換を行うように構成したことにより、熱交換手段として、小型で、軽量で、安価な冷却フィン、ヒートパイプ等を用いることができることになる。従って、装置全体を小型化、軽量化することができるとともに、安価にすることができるので、ごみ焼却設備の電気集塵機等のように、高所に設置される場合に有効に利用することができるとともに、設備費、運転費用を安く抑えることができる。
【００６４】
さらに、請求項３に記載の電源装置によれば、外気通路の上端開口部又は下端開口部から外気通路内に流入した外気は、外気通路内を流れて下端開口部又は上端開口部から外部に流出することになる。従って、屋外、屋内、地上、空中等の設置条件に影響されることなく、発熱体の冷却効率を高めることができる。
【００６５】
さらに、請求項４に記載の電源装置によれば、外気通路は、外気の流れが途中で分岐又は合流するものであるので、外気通路のケーシング内の空所との接触面積を負荷に応じて変更するできので、負荷の種類に影響されることなく発熱体の冷却効率を高めることができる。
【００６６】
さらに、請求項５に記載の電源装置によれば、気通路は、外気の流れ方向が途中で少なくとも１回変わるものであるので、外気通路のケーシング内の空所との接触面積を負荷に応じて任意に変更することができるので、負荷の種類に影響されることなく、発熱体の冷却効率を高めることができる。
【００６７】
さらに、請求項６に記載の電源装置によれば、外気通路内には少なくとも一つの冷却ファンが設けられているので、外気通路内を流通する外気の風量を負荷に応じて調整できることになり、負荷に種類に影響されることなく、発熱体の冷却効率を高めることができる。
【００６８】
さらに、請求項７に記載の電源装置によれば、外気通路の少なくとも一つの開口部には防塵部材が設けられているので、防塵部材によって塵等が取り除いた後の外気を外気通路内に流通させることができる。従って、塵等が外気通路内に詰まってしまって外気の流通を妨げるようなことはなく、外気により発熱体を効率良く冷却することができる。
【００６９】
さらに、請求項８に記載の電源装置によれば、ケーシングの外側の部分には、ケーシングの少なくとも一部を遮蔽する遮蔽部材が設けられているので、風、雨、雪等はケーシングに作用するのを阻止できることになる。従って、外気通路内に風、雨、雪等が侵入して外気の流通を妨げるようなことはなく、外気により発熱体を効率良く冷却することができる。
【００７０】
さらに、請求項９に記載の電源装置によれば、ケーシングの空所内に冷却ファンが設けられているので、冷却ファンの駆動により空所内の内気を攪拌することができるので、空所内における内気の温度差をなくすことができることになる。従って、外気通路の表面及びケーシングの表面からの放熱効率を高めることができる。
【００７１】
さらに、請求項１０に記載の電源装置によれば、電源装置を複数直列に接続して、隣接する電源装置の外気通路同士を互いに接続したので、負荷に応じて電源装置の容量を増大させるような場合であっても、外気によって発熱体を効率良く冷却することができる。
【００７２】
さらに、請求項１１に記載の電源装置によれば、電源装置を複数並列に接続したので、負荷に応じて電源装置の容量を増大させるような場合であっても、外気によって発熱体を効率良く冷却することができる。
【図面の簡単な説明】
【図１】本発明による電源装置の第１の実施の形態を示した概略図である。
【図２】図１に示す電源装置の変形例を示した説明図であって、（ａ）は部分拡大図、（ｂ）は（ａ）の横断面図である。
【図３】図１に示す電源装置の変形例を示した説明図であって、（ａ）は部分拡大図、（ｂ）は（ａ）の横断面図である。
【図４】図１に示す電源装置の使用例を示した説明図である。
【図５】本発明による電源装置の第２の実施の形態を示した概略図である。
【図６】本発明による電源装置の第３の実施の形態を示した概略図である。
【図７】本発明による電源装置の第４の実施の形態を示した概略図である。
【図８】本発明による電源装置の第５の実施の形態を示した概略図である。
【図９】本発明による電源装置の第６の実施の形態を示した概略図である。
【図１０】本発明による電源装置の第７の実施の形態を示した概略図である。
【図１１】本発明による電源装置の第８の実施の形態を示した概略図である。
【図１２】本発明による電源装置の第９の実施の形態を示した概略図である。
【図１３】本発明による電源装置の第１０の実施の形態を示した概略図である。
【図１４】従来の電源装置の一例を示した概略図である。
【図１５】従来の電源装置の他の例を示した概略図である。
【符号の説明】
１  電源装置
２  ケーシング
３  空所
４  発熱体
５  外気通路
６、７  開口部
８  熱交換手段
１３  冷却ファン
１４  防塵部材
１５  遮蔽部材
【図１】
2004274870.tif 000003
【図２】
2004274870.tif 000004
【図３】
2004274870.tif 000005
【図４】
2004274870.tif 000006
【図５】
2004274870.tif 000007
【図６】
2004274870.tif 000008
【図７】
2004274870.tif 000009
【図８】
2004274870.tif 000010
【図９】
2004274870.tif 000011
【図１０】
2004274870.tif 000012
【図１１】
2004274870.tif 000013
【図１２】
2004274870.tif 000014
【図１３】
2004274870.tif 000015
【図１４】
2004274870.tif 000016
【図１５】
2004274870.tif 000017